【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
回転可能な本体側係合部を有する電子写真画像形成装置本体から取り外し可能なカートリッジにおいて、
ｉ）その回転軸線が前記カートリッジの取り外し方向に対して実質的に直交するように配置され、現像剤を担持可能な回転体と、
ｉｉ）前記本体係合部から前記回転体に回転力を伝達するべく前記回転体の回転軸線の方向において前記カートリッジの一端側に設けられたカップリング部材と
ｉｉｉ）内部に中空部を備え、前記カップリング部材から前記回転体へ前記回転力を伝達するための回転力伝達部材と、
を有し、
前記カップリング部材は、前記カップリング部材の回転軸線が前記回転体の回転軸線と実質的に平行で、前記カップリング部材が前記回転体の回転軸線に沿った方向で見て前記中空部内にある第一位置と、前記カップリング部材の回転軸線が前記回転体の回転軸線と実質的に平行であって、前記カップリング部材が前記回転体の回転軸線に沿った方向で見て前記中空部内にあり、前記カップリング部材が、前記回転体の回転軸線に対し直交方向に前記第一位置から変位し、前記回転体の回転軸線方向において前記第一位置よりも前記カートリッジの他端側へ変位した第二位置と、の間で移動可能であることを特徴とするカートリッジ。
【請求項２】
前記カップリング部材の回転軸線が前記第一位置のときの位置から離れるように前記カップリング部材が移動するのにしたがって、前記カップリング部材が前記回転体の回転軸線方向において前記カートリッジの他端側へ移動するように構成されていることを特徴とする請求項１に記載のカートリッジ。
【請求項３】
前記カートリッジの取り外しに伴い、前記カップリング部材が、前記第一位置から前記第二位置へ移動することにより、前記本体側係合部から離脱するように構成されたことを特徴とする請求項１または２に記載のカートリッジ。
【請求項４】
前記カートリッジの取り外しに伴い、前記カップリング部材が、前記本体側係合部から力を受けて、前記第一位置から前記第二位置へ移動するように構成されたことを特徴とする請求項１乃至３のいずれか１項に記載のカートリッジ。
【請求項５】
前記第一位置では、前記カップリング部材の回転軸線が前記回転力伝達部材の回転軸線と実質的に一致しており、
前記第二位置では、前記カップリング部材の回転軸線が前記回転力伝達部材の回転軸線が実質的に平行で互いに離れており、前記カップリング部材の回転軸線方向において前記カップリング部材が前記第一位置よりも前記カートリッジの他端側に近づいている、
ことを特徴とする請求項１乃至４のいずれか１項に記載のカートリッジ。
【請求項６】
前記カートリッジの取り外しに伴い、前記カップリング部材が、前記本体側係合部と前記回転力伝達部材から力を受けて、前記第一位置から前記第二位置へ移動するように構成されたことを特徴とする請求項１乃至５のいずれか１項に記載のカートリッジ。
【請求項７】
前記カップリング部材および前記回転力伝達部材の一方に傾斜部と、
前記カップリング部材および前記回転力伝達部材の他方に前記傾斜部と当接可能な当接部と、を有することを特徴とする請求項６に記載のカートリッジ。
【請求項８】
前記カップリング部材は、前記傾斜部と前記当接部が当接している状態で前記傾斜部に沿って前記第一位置から前記第二位置へ移動するように構成されたことを特徴とする請求項７に記載のカートリッジ。
【請求項９】
前記当接部も前記傾斜部に対応して傾斜していることを特徴とする請求項７または８に記載のカートリッジ。
【請求項１０】
前記カップリング部材から前記回転力伝達部材へ前記回転力を伝達するための中間伝達部材を有し、
前記中間伝達部材が、前記中間伝達部材の回転軸線と前記回転力伝達部材の回転軸線が実質的に一致した第一中間位置と、前記中間伝達部材の回転軸線と前記回転力伝達部材の回転軸線が実質的に平行な状態で互いに離れており、前記回転力伝達部材の回転軸線の方向において前記第一中間位置よりも前記カートリッジの他端側に移動した第二中間位置と、の間を移動可能であることを特徴とする請求項１乃至９のいずれか１項に記載のカートリッジ。
【請求項１１】
前記中間伝達部材および前記回転力伝達部材の一方にその他の傾斜部と、
前記中間伝達部材および前記回転力伝達部材の他方に前記その他の傾斜部と当接可能なその他の当接部と、
を有することを特徴とする請求項１０に記載のカートリッジ。
【請求項１２】
前記中間伝達部材は、前記その他の傾斜部と前記その他の当接部が当接している状態で前記その他の傾斜部に沿って前記第一中間位置から前記第二中間位置へ移動するように構成されたことを特徴とする請求項１１に記載のカートリッジ。
【請求項１３】
前記その他の当接部も前記その他の傾斜部に対応して傾斜していることを特徴とする請求項１１または１２に記載のカートリッジ。
【請求項１４】
前記回転力伝達部材の回転軸線に沿って見た時に、
前記回転力伝達部材に対する前記中間伝達部材の移動方向と、前記中間伝達部材に対する前記カップリング部材の移動方向と、が交差するように構成されていることを特徴とする請求項１０乃至１３のいずれか１項に記載のカートリッジ。
【請求項１５】
前記回転力伝達部材の回転軸線に沿って見た時に、
前記回転力伝達部材に対する前記中間伝達部材の移動方向と、前記中間伝達部材に対する前記カップリング部材の移動方向と、が実質的に直交するように構成されていることを特徴とする請求項１４に記載のカートリッジ。
【請求項１６】
前記回転力伝達部材に移動可能に設けられ、前記カップリング部材を移動可能に保持する保持部材を有することを特徴とする請求項１乃至１５のいずれか１項に記載のカートリッジ。
【請求項１７】
前記カップリング部材は、前記保持部材に対して、実質的に前記回転力伝達部材の回転軸線方向に移動可能であることを特徴とする請求項１６に記載のカートリッジ。
【請求項１８】
前記保持部材は、前記回転力伝達部材に対して、前記回転力伝達部材の回転軸線方向に対し実質的に直交方向に移動可能であることを特徴とする請求項１７に記載のカートリッジ。
【請求項１９】
前記保持部材と前記カップリング部材との間に前記カップリング部材を付勢する付勢部材を有することを特徴とする請求項１６乃至１８のいずれか１項に記載のカートリッジ。
【請求項２０】
前記付勢部材は弾性部材を有することを特徴とする請求項１９に記載のカートリッジ。
【請求項２１】
前記弾性部材はバネであることを特徴とする請求項２０に記載のカートリッジ。
【請求項２２】
前記カップリング部材は、前記カートリッジの取り外しに伴い前記本体側係合部から退避するための退避力を受ける退避力受け部を有することを特徴とする請求項１乃至２１のいずれか１項に記載のカートリッジ。
【請求項２３】
前記退避力受け部は前記カップリング部材の自由端部に設けられていることを特徴とする請求項２２に記載のカートリッジ。
【請求項２４】
前記カップリング部材を前記本体側係合部に向かって付勢するための付勢部材を有することを特徴とする請求項１乃至１５のいずれか１項に記載のカートリッジ。
【請求項２５】
前記付勢部材は、弾性部材を有することを特徴とする請求項２４に記載のカートリッジ。
【請求項２６】
前記弾性部材はバネであることを特徴とする請求項２５に記載のカートリッジ。
【請求項２７】
前記回転体は、潜像を形成可能な感光体であることを特徴とする請求項１乃至２６のいずれか１項に記載のカートリッジ。
【請求項２８】
前記回転力伝達部材は、前記感光体に取り付けられたフランジであることを特徴とする請求項２７に記載のカートリッジ。
【請求項２９】
前記潜像を現像するための現像ローラを有し、
前記フランジは、前記現像ローラに前記回転力を伝達するためのギアを有することを特徴とする請求項２８に記載のカートリッジ。
【請求項３０】
前記回転体は、現像ローラであることを特徴とする請求項１乃至２６のいずれか１項に記載のカートリッジ。
【請求項３１】
前記回転力伝達部材は、前記現像ローラに前記回転力を伝達するギアを有することを特徴とする請求項３０に記載のカートリッジ。
【請求項３２】
前記現像ローラに取り付けられた、その他の回転力伝達部材を有し、
前記回転力伝達部材から前記その他の回転力伝達部材を介して前記現像ローラに前記回転力が伝達されることを特徴とする請求項３０または３１に記載のカートリッジ。
【請求項３３】
前記カップリング部材は、
前記本体側係合部から前記回転力を受ける回転力受け部を有する一端部と、
前記一端部とは逆側の他端部と、
前記一端部と前記他端部を繋ぐ繋ぎ部と、
を有することを特徴とする請求項１乃至３２のいずれか１項に記載のカートリッジ。
【請求項３４】
前記繋ぎ部のうち前記カップリング部材の回転軸線と直交する所定の断面が、前記回転力受け部と前記カップリング部材の回転軸線との間の距離よりも小さい最大回転半径を有するように構成されたことを特徴とする請求項３３に記載のカートリッジ。
【請求項３５】
請求項１乃至３４のいずれか１項に記載のカートリッジと、
前記カートリッジを取り外し可能であって、前記本体側係合部を有する前記装置本体と、を有する電子写真画像形成装置。
【請求項３６】
前記装置本体は、開閉ドアを有しており、
前記開閉ドアを開くことにより、前記カートリッジを取り外し可能に構成されていることを特徴とする請求項３５に記載の電子写真画像形成装置。
【手続補正２】
【補正対象書類名】明細書
【補正対象項目名】０００８
【補正方法】変更
【補正の内容】
【０００８】
上記目的を達成するために、本出願に係る第一の発明は、
回転可能な本体側係合部を有する電子写真画像形成装置本体から取り外し可能なカートリッジにおいて、
ｉ）その回転軸線が前記カートリッジの取り外し方向に対して実質的に直交するように配置され、現像剤を担持可能な回転体と、
ｉｉ）前記本体係合部から前記回転体に回転力を伝達するべく前記回転体の回転軸線の方向において前記カートリッジの一端側に設けられたカップリング部材と
ｉｉｉ）内部に中空部を備え、前記カップリング部材から前記回転体へ前記回転力を伝達するための回転力伝達部材と、
を有し、
前記カップリング部材は、前記カップリング部材の回転軸線が前記回転体の回転軸線と実質的に平行で、前記カップリング部材が前記回転体の回転軸線に沿った方向で見て前記中空部内にある第一位置と、前記カップリング部材の回転軸線が前記回転体の回転軸線と実質的に平行であって、前記カップリング部材が前記回転体の回転軸線に沿った方向で見て前記中空部内にあり、前記カップリング部材が、前記回転体の回転軸線に対し直交方向に前記第一位置から変位し、前記回転体の回転軸線方向において前記第一位置よりも前記カートリッジの他端側へ変位した第二位置と、の間で移動可能であることを特徴とするカートリッジ。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】